(57)【特許請求の範囲】
【請求項１】
床面上に支持脚により所定の高さに支持された無機質製の基材からなるフリーアクセスフロアであって、前記フリーアクセスフロアのフロア本体に、パーティションとしての壁材を取付ける断面コ字形のランナーを固定するための取付け穴が予め開設されており、前記取付け穴には、下端部に鍔部を有する金属製筒体の内壁に雌ネジ穴部が設けられ、かつ筒体の外壁に複数の突片が形成されているネジ締め可能な取付け金具を配設することを特徴とするフリーアクセスフロア。
【請求項２】
床面上に支持脚により所定の高さに支持された無機質製の基材からなるフリーアクセスフロアであって、前記フリーアクセスフロアのフロア本体に、パーティションとしての壁材を取付ける断面コ字形のランナーを固定するための取付け穴が予め開設されており、前記取付け穴には、下端部に鍔部を有する金属製筒体の内壁に雌ネジ穴部が設けられ、かつ筒体の外壁は曲面となって取付け時に接着剤を塗布されるネジ締め可能な取付け金具を配設することを特徴とするフリーアクセスフロア。
【請求項３】
配設された前記取付け金具に前記ランナーを螺着したことを特徴とする請求項１又は２記載のフリーアクセスフロア。
【発明の詳細な説明】
【０００１】
【発明の属する技術分野】
本発明は、パーティション等で部屋のレイアウトを変更する場合、容易に作業でき、かつ見栄えが良く、作業性に優れているフリーアクセスフロアに関するものである。
【０００２】
【従来の技術】
フリーアクセスフロアは、ＯＡ機器等の配線を床下に配することで部屋のレイアウトを自由に変更できるため、フロア床上の空間をパーティションで任意に仕切ってレイアウト変更を行うことがよく行われている。
【０００３】
このパーティションで空間を仕切る場合、フリーアクセスフロアを構成する各フロア本体の所定個所にドリル等の治具で取付け穴を開設した後、この取付け穴を介して断面コ字形のランナーをタッピングビス等で固定し、壁材をランナーに固定することでパーティションを構成している。
【０００４】
この従来構成のパーティションの一例を図５を参照して説明すると、フリーアクセスフロア１を構成する所定のフロア本体２，２，…の表面にドリルで複数の取付け穴３，３，…（図示では３個）を開設した後、所定長さの断面コ字形のランナー４を、タッピングビス６で前記取付け穴３，３，…を介してフロア本体２，２，…上に連続状に固定させる。そして、このランナー４の両起立片５，５の外側に壁材７、７を配してビス８で固定することでパーティションＰを構成している。９は、支持脚である。
【０００５】
【発明が解決しようとする課題】
上記構成のパーティションＰにあっては、ランナー４を固定するために硬い材質のフロア本体２にネジを切りながらタッピングビス６を締め付けて固定することになる。しかし、この作業は、かなり大きな音が発生するため、平日では、このドリル等に伴う騒音が同じフロア等で働いている人々の業務の妨げとなり、休日や夜間にしか工事ができず作業性の面で問題となっていた。
【０００６】
また、フリーアクセスフロアのレイアウトの変更を複数回行う場合、その度フロア本体２にタッピングビス６用の取付け穴３を開設するために変更前の取付け穴３が残り、見栄えが悪くなりフロア本体２が損傷したように見える等の問題があった。
【０００７】
本発明は、上記課題に鑑みてなされたもので、各種構成のフリーアクセスフロアにあって、パーティション等で部屋のレイアウトを変更する場合、作業に伴う騒音が少なく、容易に作業でき、かつ見栄えが良く、その作業性に優れているフリーアクセスフロアを提供すること目的とするものである。
【０００８】
【課題を解決するための手段】
上記目的を達成するため、本発明の第１の発明は、床面上に支持脚により所定の高さに支持されたフリーアクセスフロアであって、前記フリーアクセスフロアのフロア本体に、予めパーティションの固定用の取付け穴が開設されていることを特徴とする。
【０００９】
第２の発明は、フロア本体の取付け穴には、ネジ締め可能な取付け金具が配設されていることを特徴とする。
【００１０】
第３の発明は、下端部に鍔部を有する金属製筒体の内壁に雌ネジ穴部が設けられ、かつ筒体の外壁に複数の突片が形成されている取付け金具を用いることを特徴とする。
【００１１】
第４の発明は、下端部に鍔部を有する金属製筒体の内壁に雌ネジ穴部が設けられている取付け金具を用いることを特徴とする。
【００１２】
【作用】
本発明の第１の発明によれば、フリーアクセスフロアのフロア本体に、予めパーティションの固定用の取付け穴が設けられているため、作業時にいちいち取付け穴を開設する作業が省けるし、ドリル等に伴う騒音が妨げられ作業性が向上する。
【００１３】
第２の発明によれば、フロア本体の下穴には、ネジ締め可能な取付け金具が配設されているため、その作業性が一段と向上する。
【００１４】
第３の発明によれば、金属製筒体の外壁に複数の突部が形成されている取付け金具を用いると、この突部のために取付け金具は、固定ネジにより螺着する時に容易に回転することがなく、安定度が良好になる。
【００１５】
第４の発明によれば、金属製筒体の外壁に突片が形成されていないため、第３の発明に比べ上記する安定度が不足するが、取付け時に外壁面に接着剤を塗布することで安定度が確保できる。
【００１６】
【発明の実施の形態】
本発明の実施形態を添付する図面を参照して説明する。図１は、本発明に係る第１例のフロア本体を示す斜視図、図２は、取付け金具の各例を示す斜視図、図３は、第１例の使用例を示す斜視図、図４は、本発明に係る第２例のフロア本体を示す斜視図である。
【００１７】
図１に示す第１例のフロア本体１０は、スチール製、コンクリート系や珪酸カルシウム系等の無機質製、アルミ製、合成樹脂製等の従来採用されている周知の材質のもので構成されているが、本発明のフロア本体１０では、その材質は特に限定されない。
【００１８】
しかし、後記するフロア本体１０の表面にパーティションＰを構成するための固定用の取付け穴１１，１１，…を開設する作業、及びこの取付け穴１１に図２の取付け金具２０ａ，２０ｂ，…を固定する際の作業の簡便さや取付け金具２０ａ，２０ｂ，…の安定度等を勘案すると、無機質製の基材１２からなるフロア本体１０を使用するのが特に好ましい。
【００１９】
また、フロア本体１０には、その裏面に従来周知の支持脚３０，３０，…が一体に取付けられているが、図示省略する支持脚上にフロア本体１０を載置させる構成の従来周知の支持脚を使用する等任意な事項である。
【００２０】
本発明に係る第１例のフロア本体１０には、その床面にパーティションＰを構成するための固定用の取付け穴１１，１１，…が略中心部に複数個開設させてある。この取付け穴１１，１１，…の間隔としては、例えば、６００×６００×２３ｍｍのフロア本体１０に対し、２００〜３００ｍｍの間隔が好ましい。２００ｍｍ以下では、穴開け作業や取付け金具２０ａ，２０ｂ，…の固定作業に要する手間がかかりコスト高となり、３００ｍｍ以上ではパーティションＰを構成する壁材の取付け角度の自由度が小さくなるため好ましくない。
【００２１】
図２には、上記フロア本体１０に設けている取付け穴１１，１１，…に固定させる突部２４を備える取付け金具２０ａ，２０ｂ，…の各例を示している。即ち、取付け金具２０ａは、金属製筒体２１の下端部に円弧状の鍔部２２が有り、その内壁に雌ネジ穴部２３が設けられ、さらに筒体２１の外壁に突部２４として複数の突片２５，２５，…が縦方向に連なる突片群２６を複数列形成されている例である（図２（ａ）参照）。
【００２２】
取付け金具２０ｂは、その筒体２１の外壁に突部２４として連続状のネジ突起部２７が形成されている例であり（図２（ｂ）参照）、取付け金具２０ｃは、筒体２１の外壁に突部２４として縦方向に連なる棒状突起部２８が複数列形成されている例であり（図２（ｃ）参照）、筒体２１の外壁に突部２４として複数個の突起２９，２９，…が形成されている例である（図２（ｄ）参照）。さらに、取付け金具２０ｅは、筒体２１の外壁になにも加工されておらず、単なる曲面となっている例である（図２（ｅ）参照）。
【００２３】
第１例のフロア本体１０の場合、その取付け穴１１，１１，…には、取付け金具２０ａ，２０ｂ，…が予め固定されておらず、パーティションＰの施工時に任意な取付け金具２０ａ，２０ｂ，…をフロア本体１０に固定すれば良い。
【００２４】
次に、フロア本体１０の使用方法を説明すると、パーティションＰの大きさに応じて隣接する複数のフロア本体１０，１０，…を選択し、その各フロア本体１０，１０，…における一直線状に位置する取付け穴１１，１１，…に、例えば、取付け金具２０ａ，２０ａ，…をそれぞれ固定させる。
【００２５】
この各取付け金具２０ａ，２０ａ，…に複数個のランナー４０，４０，…を固定ネジ４４を介して取付け金具２０ａの雌ネジ穴部２３に螺着させることによって、ランナー４０，４０，…が隣接する所定の範囲の取付け金具２０ａ，２０ａ，…に一直線状に配列される。
【００２６】
そして、このランナー４０，４０，…の両起立片４１，４１の外側に壁材３５の下端部を配し、ビス３６等を介して壁材３５をランナー４０，４０，…に取付けることでパーティションＰが構成される。
【００２７】
また、図４に示す本発明に係る第２例のフロア本体１５は、上記第１例のフロア本体１０と同様な構成であり、異なる構成は予め各取付け穴１１に取付け金具２０ａ，２０ａ，…を固定させていることである。勿論、この取付け金具２０ａ，２０ａ，…に代えて図２に示す取付け金具２０ｂ，２０ｃ，…を使用しても良い。
【００２８】
ここで、本発明の実施例を説明する。フロア本体１０として、珪酸カルシウム質からなる基材１２の裏面に鋼材１３が張り合わせてあり、その寸法は６００×６００×２３ｍｍである。このフロア本体１０の略中心部に２００ｍｍの間隔で縦・横方向に複数個の取付け穴１１，１１，…が開設されている。
【００２９】
そして、この各取付け穴１１，１１，…に、例えば、取付け金具２０ａ，２０ａ，…をそれぞれ配設させる。この場合、構成するパーティションＰの大きさに対応させて使用する取付け穴１１以外の取付け穴１１には、取付け金具２０ａ，２０ｂ，…を配設させなくても良い。
【００３０】
パーティションＰを取付けるには、２００ｍｍの間隔で基片４２に取付け穴４３が設けられている比較的長いランナー４０をフロア本体１０上に載置させ、その取付け穴４３と取付け金具２０ａの雌ネジ穴２３部とを一致させて固定ネジ４４でランナー４０を固定させる。最後に、このランナー４０の起立片４１に両側から壁材３５の下端部を当接させた上、ビス３６を介してランナー４０に壁材３５がビス止めさせることでパーティションＰが構成できる。
【００３１】
なお、取付け金具２０ａ，２０ｂ，…は、取付け穴１１に配設する際、その筒体２１の外壁に形成させた突部２４等によって取付け金具２０ｅ以外のものは、固定ネジ４４により螺着する時に容易に回転することがなく、安定度が強化される。また、取付け金具２０ｅは、固定時に各種の接着剤を使用すると固定強度が一段と向上する。同様に取付け金具２０ａ〜２０ｄの場合も接着剤を使用すると安定度がより向上する。
【００３２】
また、各取付け金具２０ａ，２０ｂ，…は、図３等で示すようにフロア本体１０，１５の裏面側から取付け穴１１に配設させて固定している。
【００３３】
【発明の効果】
上記構成の本発明によると、次の効果がある。
フリーアクセスフロアを構成するフロア本体には、予めパーティションの固定用の取付け穴を開設させてあるため、穴を開設する作業が省けるし、開設する際に生じるドリル等による騒音が防げられ、平日の作業ができるので、その作業性が著しく向上する。
【００３４】
さらに、取付け穴に予めネジ締め可能な取付け金具が固定されているフリーアクセスフロアを使用すると、パーティションの組立て作業の効率が一段と向上する。
【００３５】
また、金属製筒体の外壁に複数の突部が形成されている取付け金具を用いると、この突部のために取付け金具は、固定ネジにより螺着する時に容易に回転することがなく、安定度が良好になる。外壁に突部が形成されていない取付け金具や突部が形成された取付け金具でも外壁面に接着剤を塗布することで、取付け金具の回転が抑えられて安定度がより良好になる。
【００３６】
またさらに、パーティションの配置代えを行う頻度が多い場合、その度フロア本体に取付け穴を開設することが必要ではなくなり、フロア本体の見栄えが向上する。
【図面の簡単な説明】
【図１】 本発明に係る第１例のフロア本体を示す斜視図。
【図２】 取付け金具の各例を示す斜視図。
【図３】 第１例の使用例を示す斜視図。
【図４】 本発明に係る第２例のフロア本体を示す斜視図。
【図５】 従来例の使用例を示す斜視図。
【符号の説明】
Ｐ              フリーアクセスフロア
１０            フロア本体
１１            取付け穴
２０ａ〜２０ｅ  取付け金具
３０            支持脚
【図１】
0004038346.tif 000002
【図２】
0004038346.tif 000003
【図３】
0004038346.tif 000004
【図４】
0004038346.tif 000005
【図５】
0004038346.tif 000006